(57)【要約】【課題】凝縮水による主要部品の劣化の防止と排気浄化性能の確保とを両立させることができる低コストの内燃機関の排気還流装置を提供する。【解決手段】排気ガス通路４２ｗを形成する排気管４２の途中にＤＰＦユニット４５を有するエンジン１０に装備される内燃機関の排気還流装置であって、ＤＰＦユニット４５により浄化された排気ガスを排気ガス通路４２ｗ側から吸気通路３２ｗ側に還流させるＬＰＬ−ＥＧＲパイプ７１と、このパイプ７１内への異物の侵入を阻止するようＬＰＬ−ＥＧＲパイプ７１の上流端部７１ｕの近傍に配置され、ＤＰＦユニット４５の筒状ケース部５１の内壁面５１ａから排気ガス通路４２ｗ内に突出する異物捕集フィルタ８０と、排気ガス通路４２ｗ内に異物捕集フィルタ８０に隣接して設けられた吸水材８６とを備える。【選択図】図１
2012202265.tif 000002
【特許請求の範囲】
【請求項１】
排気ガス通路を形成する排気管の途中に排気浄化ユニットを有する内燃機関に装備される内燃機関の排気還流装置であって、
前記排気浄化ユニットにより浄化された排気ガスを前記排気ガス通路側から前記内燃機関の吸気通路側に還流させる排気還流管と、
前記排気還流管内への異物の侵入を阻止するよう前記排気還流管の上流端部の近傍に配置され、前記排気管の内壁面から前記排気ガス通路内に突出する異物捕集フィルタと、
前記排気ガス通路内に前記異物捕集フィルタに隣接して設けられた吸水材と、を備えたことを特徴とする内燃機関の排気還流装置。
【請求項２】
前記排気浄化ユニットが、前記排気管の途中に配置された筒状ケース部を有し、前記排気還流管が、前記排気浄化ユニットの一部を通過した排気ガスを前記排気ガス通路側から前記吸気通路側に還流させ、前記異物捕集フィルタが、前記排気還流管の上流端部の近傍で、前記排気浄化ユニットの前記一部より下流側の前記筒状ケース部の内壁面から前記排気ガス通路内に突出した突出部を有し、前記吸水材が、前記異物捕集フィルタの前記突出部に保持されていることを特徴とする請求項１に記載の内燃機関の排気還流装置。
【請求項３】
前記排気還流管の途中に設置され前記吸気管側に還流する排気ガスを冷却する排気冷却器をさらに備え、前記排気還流管の上流端部が、前記排気冷却器内で発生する凝縮水を前記異物捕集フィルタを通して前記排気浄化ユニットの前記一部より下流側の前記排気ガス通路内に排出するように、前記排気冷却器の入口部から前記一部より下流側の前記筒状ケース部の内壁面側に向かって下降していることを特徴とする請求項２に記載の内燃機関の排気還流装置。
【請求項４】
前記吸水材が、前記異物捕集フィルタと前記排気浄化ユニットの前記一部との間に位置していることを特徴とする請求項２または請求項３に記載の内燃機関の排気還流装置。
【請求項５】
前記吸水材が、一面側で前記排気浄化ユニットの前記一部に対向し、他面側で前記異物捕集フィルタに隣接する板状体をなしていることを特徴とする請求項２ないし請求項４のうちいずれか１の請求項に記載の内燃機関の排気還流装置。
【請求項６】
前記異物捕集フィルタが、前記筒状ケース部の内壁面から前記排気ガス通路内に離間する位置で前記吸水材により閉塞された閉塞部と、該閉塞部と前記筒状ケース部の内壁面との間で略筒状をなす異物捕集面部と、を有することを特徴とする請求項５に記載の内燃機関の排気還流装置。
【請求項７】
前記排気浄化ユニットの前記一部が、前記筒状ケース部内を通る排気ガスを浄化可能な排気浄化フィルタ部であることを特徴とする請求項２ないし請求項６のうちいずれか１の請求項に記載の内燃機関の排気還流装置。
【請求項８】
前記内燃機関には、前記排気ガス通路中を流れる排気ガスのエネルギによって回転する排気タービンおよび該排気タービンに連結されて前記吸気通路中の吸入空気を圧縮する吸入空気コンプレッサを有するターボ過給機が装着されており、前記排気還流管が、前記内燃機関の前記吸気通路を形成する吸気管のうち前記吸入空気コンプレッサより上流側の吸気管に接続されていることを特徴とする請求項１ないし請求項７のうちいずれか１の請求項に記載の内燃機関の排気還流装置。
【発明の詳細な説明】
【技術分野】
【０００１】
本発明は、内燃機関の排気還流装置に関し、特に排気再循環経路中に異物捕集フィルタを設けた内燃機関の排気還流装置に関する。
【背景技術】
【０００２】
車両用のエンジン（内燃機関）においては、ＮＯｘ（窒素酸化物）の低減に効果的な排気再循環（以下、ＥＧＲ（Exhaust Gas Recirculation）ともいう）を行うべく、排気還流装置を装備するものが多くなっている。また、高温の排気ガスの一部を吸気側に還流させるＨＰＬ（High Pressure Loop）−ＥＧＲ方式に対して、ターボ過給機の排気タービンや排気後処理装置を通過した後の排気ガスをターボ過給機のコンプレッサより上流側に還流させることで低温かつ大量の排気再循環を可能にしたＬＰＬ（Low Pressure Loop）−ＥＧＲ方式の排気還流装置が普及してきている。
【０００３】
このＬＰＬ−ＥＧＲ方式の排気還流装置では、排気ガスを吸気通路側に還流させる排気管中にスパッタ（溶接時の飛散物）や排気浄化装置からの脱落片等の異物が生じ得るため、そのような異物がターボ過給機のコンプレッサに入ってダメージを与えたりすることがないよう、排気還流経路中に異物捕集フィルタが設けられているのが一般的である。
【０００４】
異物捕集フィルタを備えたＬＰＬ−ＥＧＲシステムとしては、例えばＥＧＲガスの流れ方向に対して傾斜する複数の傾斜面およびこれらを接続する略水平面を有するようにジグザグに折られた異物捕集フィルタを、ＬＰＬ−ＥＧＲ回路の低圧側排気還流通路中に配置し、還流排気ガスを通す異物捕集フィルタの傾斜面に凝縮水が付着し易くても、その傾斜面上から凝縮水が容易に流下し得るようにしたものが知られている（例えば、特許文献１参照）。
【０００５】
また、低圧側排気還流通路中で発生する凝縮水を外部に排出する排出通路の途中に逆止弁とその逆止弁を通して排出される凝縮水を貯留可能なトラッパとを設ける一方、ターボ過給機のコンプレッサより下流側の過給空気圧をそのトラッパ内に選択的に導入可能な開閉弁を設けることで、トラッパ内の凝縮水を外部に排出するときのみ開閉弁を開弁させてトラッパの内圧により逆止弁を閉弁させ、凝縮水のＥＧＲ通路への逆流を抑えつつ、ＥＧＲ通路内で発生した凝縮水を安定的に排出させるようにしたものが知られている（例えば、特許文献２参照）。
【０００６】
さらに、ＥＧＲクーラでの冷却によって還流排気ガスから生じた凝縮水が生じ、その凝縮水が流下するときに触媒に接触して触媒の劣化や目詰まりが発生することを抑制すべく、凝縮水の流下時に凝縮水を触媒を避けるように迂回させる迂回通路を設定したものも知られている（例えば、特許文献３参照）。
【０００７】
その他に、ターボ過給機のコンプレッサのケーシングに主通路とそこから分岐して再び主通路に合流する副通路とを形成し、その副通路内に水分を捕捉するよう吸着材を配置する一方、その吸着材に捕捉させた水分を副通路内に流れるガスにより蒸発させることで、吸着剤を乾燥させるようにしたものが知られている（例えば、特許文献４参照）。
【先行技術文献】
【特許文献】
【０００８】
【特許文献１】特開２０１０−１５１０９１号公報
【特許文献２】特開２００８−２８０９４５号公報
【特許文献３】特開２００３−０６５１６２号公報
【特許文献４】特開２００９−２６４３３９号公報
【発明の概要】
【発明が解決しようとする課題】
【０００９】
しかしながら、異物捕集フィルタに付着する凝縮水を流下し易くしたりＥＧＲクーラより排気還流方向下流側に凝縮水を捕集する捕集器や吸着材を設けたりする従来の内燃機関の排気還流装置にあっては、エンジンの運転中にＥＧＲクーラ付近で発生した凝縮水がＥＧＲバルブの閉弁時あるいはエンジン負荷の低下時に一気に排気通路側に流れてしまい、その流下側に配置されたＤＰＦ（Diesel particulate filter）基材等といった排気浄化ユニットの主要部が急激な熱変化によって亀裂を生じ易くなり、排気浄化ユニットが早期に劣化してしまう可能性があった。
【００１０】
これに対し、ＤＰＦ基材を迂回する凝縮水の流下通路を設定するものでは、上述の亀裂等の問題を防止できるものの、構造が複雑化してコスト高になるばかりか、還流排気ガスの一部がＤＰＦ基材等をバイパスすることから排気浄化ユニットの性能を十分に発揮できなかった。
【００１１】
また、ＥＧＲ通路の前後差圧を差圧センサにより検出してＥＧＲ流量制御を行う場合、異物捕集フィルタに凝縮水が付着して水膜が形成され、その異物捕集フィルタによって排気還流通路が閉塞されたり圧力損失が大きくなったりすると、ＥＧＲ流量が低下しているにもかかわらず大量のＥＧＲ流量（排気還流量）であると誤判定されてしまうことになってシステム全体のＥＧＲ流量が不足してしまい、ＮＯｘ低減効果が十分に得られなくなってしまう可能性があった。
【００１２】
さらに、ＥＧＲクーラより排気還流方向下流側に凝縮水を吸着する吸着材を設ける場合には、吸着剤に吸着された凝縮水が蒸発し難い運転状態が続くと、吸着剤の吸着性能を良好に維持することができず、酸性の凝縮水が吸気管内に入ることでターボ過給機のコンプレッサやそれより下流側の吸気系の主要金属部品が腐食し易くなる可能性があった。
【００１３】
すなわち、従来の内燃機関の排気還流装置にあっては、凝縮水による主要部品の劣化の防止と排気浄化性能の確保とを両立させることが困難であった。
【００１４】
そこで、本発明は、凝縮水による主要部品の劣化の防止と排気浄化性能の確保とを両立させることができる低コストの内燃機関の排気還流装置を提供するものである。
【課題を解決するための手段】
【００１５】
本発明に係る内燃機関の排気還流装置は、上記課題解決のため、（１）排気ガス通路を形成する排気管の途中に排気浄化ユニットを有する内燃機関に装備される内燃機関の排気還流装置であって、前記排気浄化ユニットにより浄化された排気ガスを前記排気ガス通路側から前記内燃機関の吸気通路側に還流させる排気還流管と、前記排気還流管内への異物の侵入を阻止するよう前記排気還流管の上流端部の近傍に配置され、前記排気管の内壁面から前記排気ガス通路内に突出する異物捕集フィルタと、前記排気ガス通路内に前記異物捕集フィルタに隣接して設けられた吸水材と、を備えたものである。
【００１６】
この発明では、排気還流管内の凝縮水が異物捕集フィルタ側に流下し、その一部が異物捕集フィルタを通過することなく異物捕集フィルタに付着したとしても、その凝縮水は、吸水材に吸着されるか高温の排気ガス中で加熱されて迅速に蒸発することになり、異物捕集フィルタに水膜が形成されることが有効に抑制される。また、吸水材が排気管内の高温の排気ガスに常時さらされることで、吸水材からの凝縮水の蒸発が促進され、吸水材の吸水性能が良好に維持される。したがって、排気還流管内の通路が凝縮水の付着した異物捕集フィルタによって閉塞されることが確実に防止されるとともに、装置の構造の複雑化やコスト高が回避でき、凝縮水による主要部品の劣化の防止と排気浄化性能の確保とを両立させることができる低コストの排気還流装置となる。なお、ここにいう吸水材は、異物捕集フィルタの異物捕集面部に付着した凝縮水が水膜を形成することを抑制するよう、その異物捕集面部から凝縮水を離脱させて排気ガス通路内に排出できるものであれば、その配置や材質、形状等が特に限定されるものではない。
【００１７】
本発明に係る内燃機関の排気還流装置においては、（２）前記排気浄化ユニットが、前記排気管の途中に配置された筒状ケース部を有し、前記排気還流管が、前記排気浄化ユニットの一部を通過した排気ガスを前記排気ガス通路側から前記吸気通路側に還流させ、前記異物捕集フィルタが、前記排気還流管の上流端部の近傍で、前記排気浄化ユニットの前記一部より下流側の前記筒状ケース部の内壁面から前記排気ガス通路内に突出した突出部を有し、前記吸水材が、前記異物捕集フィルタの前記突出部に保持されていることが好ましい。
【００１８】
この構成により、異物捕集フィルタが広い面積で筒状ケース部内を通る排気ガスにさらされるようにできるとともに、筒状ケース部内の排気ガスの流れの方向に対して交差するガス通過面（異物捕集面）を容易に形成できることになり、しかも、熱容量が大きい筒状ケース部から異物捕集フィルタおよび吸水材への十分な伝熱が可能となる。
【００１９】
上記（２）に記載の構成を有する場合、（３）前記排気還流管の途中に設置され前記吸気管側に還流する排気ガスを冷却する排気冷却器をさらに備え、前記排気還流管の上流端部が、前記排気冷却器内で発生する凝縮水を前記異物捕集フィルタを通して前記排気浄化ユニットの前記一部より下流側の前記排気ガス通路内に排出するように、前記排気冷却器の入口部から前記一部より下流側の前記筒状ケース部の内壁面側に向かって下降していることが好ましい。この構成により、排気還流管内で排気ガスが冷却されることにより生じる酸性の凝縮水が、排気冷却器の入口部から排気浄化ユニットの一部より下流側の筒状ケース部の内壁面側に向かって流下し易くなるとともに吸気通路側に流入し難くなり、吸気系部品が腐食し難くなる。
【００２０】
上記（２）または（３）に記載の構成を有する場合、（４）前記吸水材が、前記異物捕集フィルタと前記排気浄化ユニットの前記一部との間に位置していることが好ましい。この構成により、排気還流管内の凝縮水が異物捕集フィルタ側に流下したときに、異物捕集フィルタを通過した凝縮水が排気ガスの通過によって高温となる排気浄化ユニットの前記一部に接触することが確実に抑制され、排気浄化ユニットの一部が急激な熱変化によって亀裂を生じたり早期に劣化したりすることが確実に防止できることになる。
【００２１】
上記（２）ないし（４）のいずれかの構成を有する場合、（５）前記吸水材が、一面側で前記排気浄化ユニットの前記一部に対向し、他面側で前記異物捕集フィルタに隣接する板状体をなしていることが好ましい。これにより、吸水材は、比較的面積の広いその一面側で排気ガス通路内を通る排気ガスに十分にさらされて水を蒸発させながら、他面側では凝縮水を効率よく吸水できることになる。
【００２２】
上記（５）の構成を有する場合、（６）前記異物捕集フィルタが、前記筒状ケース部の内壁面から前記排気ガス通路内に離間する位置で前記吸水材により閉塞された閉塞部と、該閉塞部と前記筒状ケース部の内壁面との間で略筒状をなす異物捕集面部と、を有するものであっても好ましい。この場合、異物捕集フィルタが排気還流管に流入する排気ガスを広いガス通過面積で通過させることになり、しかも、異物捕集フィルタの異物捕集面積が十分に確保できることになる。
上記（２）ないし（６）のいずれかの構成を有する場合、（７）前記排気浄化ユニットの前記一部が、前記筒状ケース部内を通る排気ガスを浄化可能な排気浄化フィルタ部であることが好ましい。この場合、粒子状物質等が除去された排気ガスが吸気通路側に還流することになるから、吸気系主要部品に粒子状物質等が堆積することが防止される。
【００２３】
本発明に係る内燃機関の排気還流装置においては、（８）前記内燃機関には、前記排気ガス通路中を流れる排気ガスのエネルギによって回転する排気タービンおよび該排気タービンに連結されて前記吸気通路中の吸入空気を圧縮する吸入空気コンプレッサを有するターボ過給機が装着されており、前記排気還流管が、前記内燃機関の前記吸気通路を形成する吸気管のうち前記吸入空気コンプレッサより上流側の吸気管に接続されていることが好ましい。この構成により、凝縮水の発生量が多くなる低圧ＥＧＲ回路における排気還流管の入口部で、異物捕集フィルタへの水膜形成を有効に抑制することができるとともに、排気還流管内の通路の閉塞を防止して所要の低圧ＥＧＲ量を確保することができる。
【発明の効果】
【００２４】
本発明によれば、排気還流管内の凝縮水が異物捕集フィルタ側に流下し、その一部が異物捕集フィルタを通過することなく異物捕集フィルタに付着したとしても、その凝縮水が排気ガス通路内の吸水材に吸着されるか高温の排気ガス中で加熱されて迅速に蒸発するようにしているので、異物捕集フィルタに水膜が形成されることを有効に抑制することができ、しかも、吸水材を排気管内の高温の排気ガスに常時さらすことで、吸水材からの凝縮水の蒸発を促進させ、吸水材の吸水性能が良好に維持されるようにしているので、排気還流管内の通路が凝縮水の付着した異物捕集フィルタによって閉塞されることを確実に防止するとともに、装置の構造の複雑化やコスト高を回避することができる。その結果、凝縮水による主要部品の劣化の防止と排気浄化性能の確保とを両立させることができる低コストの内燃機関の排気還流装置を提供することができる。
【図面の簡単な説明】
【００２５】
【図１】本発明の一実施形態に係る内燃機関の排気還流装置の全体の概略構成図である。
【図２】本発明の一実施形態に係る内燃機関の排気還流装置の要部概略断面図である。
【図３】本発明の一実施形態に係る内燃機関の排気還流装置の要部周辺の構成図である。
【図４】本発明の一実施形態に係る内燃機関の排気還流装置における異物捕集フィルタの概略の外観斜視図である。
【図５】本発明の一実施形態に係る内燃機関の排気還流装置における異物捕集フィルタおよび吸水材の取付け部断面図である。
【図６】本発明の一実施形態に係る内燃機関の排気還流装置における異物捕集フィルタおよび吸水材の変形態様の説明図である。
【発明を実施するための形態】
【００２６】
以下、本発明の好ましい実施形態について、図面を参照しつつ説明する。
【００２７】
（一実施形態）
図１〜図５は、本発明に係る内燃機関の排気還流装置の一実施形態を示している。
【００２８】
この実施形態は、本発明を多気筒内燃機関である直列４気筒のディーゼルエンジン１０（以下、単にエンジン１０という）に適用したものである。
【００２９】
図１に示すように、本実施形態のエンジン１０は、その本体ブロック１０Ｍに複数の気筒１１を有しており、このエンジン１０には、各気筒１１内の燃焼室（詳細を図示していない）に燃料を噴射するコモンレール型の燃料噴射装置１２と、燃焼室に空気を吸入させる吸気装置１３と、燃焼室からの排気ガスを排気させる排気装置１４と、排気装置１４内の排気エネルギを利用して吸気装置１３内で吸入空気を圧縮し燃焼室に空気を過給するターボ過給機１５と、このターボ過給機１５より上流側の高圧側の排気ガスの一部を吸気側に還流させ再循環させる高圧側の排気還流装置であるＨＰＬ−ＥＧＲ装置１６と、このターボ過給機１５より下流側の低圧側の排気ガスの一部を吸気側に還流させ再循環させる低圧側の排気還流装置であるＬＰＬ−ＥＧＲ装置１７と、が装備されている。
【００３０】
燃料噴射装置１２は、図外の燃料タンクから燃料を汲み上げて高圧の燃圧（燃料圧力）に加圧し吐出するサプライポンプ２１と、そのサプライポンプ２１からの燃料が導入されるコモンレール２２と、このコモンレール２２を通して供給される燃料を図示しないＥＣＵ（電子制御ユニット）からの噴射指令信号に対応するタイミングおよび開度（デューティー比）で燃焼室内に噴射する燃料噴射弁２３とを含んで構成されている。なお、サプライポンプ２１は、例えばエンジン１０の回転動力により駆動され、コモンレール２２はサプライポンプ２１から供給された高圧燃料を均等に保ちながら複数の燃料噴射弁２３に分配・供給する。燃料噴射弁２３は、公知のニードル弁で構成され、噴射指令信号によりその開弁時間を制御されることによりその噴射指令信号に応じた燃料噴射量の燃料（例えば軽油）を燃焼室内に噴射・供給することができる。
【００３１】
吸気装置１３には、吸気マニホールド３１と、それより上流側の吸気管３２と、吸気管３２の最上流部でフィルタにより吸入空気を清浄化するエアクリーナ３３と、ターボ過給機１５より下流側の吸気管部３２ｂ内で吸入空気コンプレッサ１５ａによる圧縮・過給により昇温した吸入空気を冷却するインタークーラ３４と、新気の吸入流量を検出するエアフローメータ３５と、エンジン１０内への吸気量を調整するスロットルバルブ３６と、吸気温度を検出する吸気温度センサ３７と、吸気マニホールド３１の入口付近でエンジン１０の過給圧を検出する吸気管内圧力センサ３８とが、それぞれ装着されている。
【００３２】
排気装置１４は、排気マニホールド４１と、それより下流側の排気管４２と、アイドル時や軽負荷時に排気温度を上げることができるとともにＬＰＬ−ＥＧＲ装置１７の背圧を制御することができる排気絞り弁４３と、ターボ過給機１５より下流側の排気管４２に装着された公知の酸化触媒コンバータ４４およびＤＰＦユニット４５からなる排気後処理装置４６と、を含んで構成されている。
【００３３】
ターボ過給機１５は、互いに回転方向一体に結合された吸入空気コンプレッサ１５ａおよび排気タービン１５ｂを有し、排気エネルギにより排気タービン１５ｂを回転させるとともに吸入空気コンプレッサ１５ａを回転させることで、この吸入空気コンプレッサ１５ａにより吸入空気を圧縮してエンジン１０内に正圧の空気を供給することができる。
【００３４】
ＨＰＬ−ＥＧＲ装置１６は、排気マニホールド４１および吸気管３２の間に介装されたＨＰＬ−ＥＧＲパイプ６１と、このＨＰＬ−ＥＧＲパイプ６１の途中に装着されて排気ガスの還流量を調整することができるＨＰＬ−ＥＧＲバルブ６２と、ＨＰＬ−ＥＧＲパイプ６１内を通る排気ガスをその途中で冷却することができるＨＰＬ−ＥＧＲクーラ６３と、を有している。ＨＰＬ−ＥＧＲパイプ６１は、エンジン１０内の燃焼室をバイパスして、排気管４２内の排気通路のうち排気タービン１５ｂより上流側の部分（上流側の排気管部４２ａの内部）または排気マニホールド４１内の排気通路と、吸気管３２内の吸気通路３２ｗのうち吸入空気コンプレッサ１５ａより下流側の部分（下流側の吸気管部３２ｂの内部）とを連通させる高圧側排気還流通路Ｐ１を形成する高圧側通路形成部材となっている。また、ＨＰＬ−ＥＧＲバルブ６２は、高圧側排気還流通路Ｐ１を開通させる開弁状態と、この高圧側排気還流通路Ｐ１の開通を制限する、例えば高圧側排気還流通路Ｐ１を遮断する閉弁状態とに切替え可能になっている。ＨＰＬ−ＥＧＲクーラ６３は、詳細を図示しないが、高圧側排気還流通路Ｐ１の一部を形成するケース部内にＥＧＲガスに接触する冷却水管部を設けて、その冷却水管部内に導入される冷却用流体（例えば、エンジン冷却水）とケース部内を通る高圧側の還流排気ガスとの間における熱交換によって、高圧側の還流排気ガスを冷却できるようになっている。そして、高圧側排気還流通路Ｐ１は、ＨＰＬ−ＥＧＲ装置１６内における高圧側の排気再循環経路の主要部をなしている。
【００３５】
ＬＰＬ−ＥＧＲ装置１７は、排気管４２および吸気管３２の間に介装されたＬＰＬ−ＥＧＲパイプ７１と、このＬＰＬ−ＥＧＲパイプ７１の途中に装着されて排気ガスの還流量を調整することができるＬＰＬ−ＥＧＲバルブ７２と、ＬＰＬ−ＥＧＲパイプ７１内を通る排気ガスをその途中で冷却することができる排気冷却器としてのＬＰＬ−ＥＧＲクーラ７３と、下流側の排気管４２内の排気通路のうちＤＰＦユニット４５より下流側の排気通路部分でその通路断面積を絞るように開度を縮小させることができる前述の排気絞り弁４３とを有している。
【００３６】
ＬＰＬ−ＥＧＲパイプ７１は、エンジン１０内の燃焼室をバイパスして、排気管４２内の排気ガス通路４２ｗのうち排気タービン１５ｂより下流側の部分（下流側の排気管部４２ｂの内部）と吸気管３２内の吸気通路３２ｗのうち吸入空気コンプレッサ１５ａより上流側の部分（上流側の吸気管部３２ａの内部）とを連通させる低圧側排気還流通路Ｐ２（低圧側の排気再循環経路）を形成し、酸化触媒コンバータ４４およびＤＰＦユニット４５により浄化された排気ガスを排気ガス通路４２ｗ側から吸気通路３２ｗ側に還流させる排気還流管を構成している。また、ＬＰＬ−ＥＧＲバルブ７２は、低圧側排気還流通路Ｐ２を開通させる開弁状態と、この低圧側排気還流通路Ｐ２の開通を制限する、例えば低圧側排気還流通路Ｐ２を遮断する閉弁状態とに切替え可能になっている。さらに、ＬＰＬ−ＥＧＲクーラ７３は、低圧側排気還流通路Ｐ２の一部を形成するケース部７３ａと、そのケース部７３ａ内を通るＥＧＲガスに接触するとともに冷却用流体通路を形成する冷却水管部７３ｂとを有しており、冷却水管部７３ｂ内に導入される冷却用流体（例えば、エンジン冷却水）とケース部７３ａ内を通る還流排気ガスとの間における熱交換によって、低圧側の還流排気ガスを冷却できるようになっている。そして、低圧側排気還流通路Ｐ２は、吸気管３２内の吸気通路３２ｗのうちＬＰＬ−ＥＧＲパイプ７１が吸気管３２に接続する接続位置ｊより下流側の部分と共に、ＬＰＬ−ＥＧＲ装置１７内における低圧側の排気再循環経路を構成している。
【００３７】
一方、酸化触媒コンバータ４４およびＤＰＦユニット４５は、エンジン１０の排気管４２の途中に配置され内部を通る排気ガスを浄化する排気浄化ユニットとなっている。すなわち、酸化触媒コンバータ４４は、例えば炭化水素(ＨＣ)と一酸化炭素(ＣＯ)を二酸化炭素(ＣＯ２)と水(Ｈ２Ｏ)に変化させることができる酸化性能を有している。また、ＤＰＦユニット４５は、例えば多孔質セラミックスで構成されたハニカム構造のもので、エンジン１０の排気ガス中に含まれる粒子状物質（ＰＭ）を捕集するとともにその捕集により堆積するＰＭを燃焼させる再生処理ができるようになっている。
【００３８】
図２、図３に示すように、ＤＰＦユニット４５は、排気管４２の途中に配置され、排気ガス通路４２ｗを特定通路区間で拡張させる筒状ケース部５１と、筒状ケース部５１内の特定の通路区間を通る排気ガス中のＰＭを捕集して排気ガスを浄化する主要部として筒状ケース部５１内に収納されたＰＭ捕集フィルタ部５２（排気浄化ユニットの一部、排気浄化フィルタ部）と、を有している。
【００３９】
このＤＰＦユニット４５の筒状ケース部５１は、ＰＭ捕集フィルタ部５２の下流側に、排気ガス通路４２ｗの拡張された特定の通路区間のうちＰＭ捕集フィルタ部５２より下流側で通路断面積を減少させるよう、ＰＭ捕集フィルタ部５２の周囲の筒状壁面５１ｂに対して縮径方向（径が縮小する方向）に傾斜し交差する内壁面５１ａ（傾斜内壁面）を有している。
【００４０】
また、ＰＭ捕集フィルタ部５２より下流側の筒状ケース部５１の内部には、ＰＭ捕集フィルタ部５２に対応して拡張された排気ガス通路４２ｗの特定の通路区間の下流側部分である排気ガス分配室５３が画成されており、排気ガス通路４２ｗのうち排気ガス分配室５３より下流側の排気ガス通路部分４２ｗｘがこの排気ガス分配室５３から例えば車両後方側である図２中の手前側に延びるとともに、低圧側排気還流通路Ｐ２が排気ガス分配室５３から例えば鉛直方向上方側である図２中の上方側に延びつつ湾曲している。
【００４１】
一方、低圧側排気還流通路Ｐ２を形成するＬＰＬ−ＥＧＲパイプ７１の上流端部７１ｕの近傍には、排気管４２の一部を構成する筒状ケース部５１の内壁面５１ａから排気ガス通路４２ｗ内に突出する凸面状の異物捕集フィルタ８０が設けられている。
【００４２】
この異物捕集フィルタ８０は、ＤＰＦユニット４５のハニカム状のＰＭ捕集フィルタ部５２よりも十分に網目の細かい金属メッシュ（金属線からなる網、多孔を有する椀状体でもよい）で構成されており、排気管４２中に存在するスパッタ（溶接時の飛散物）、ＰＭ捕集フィルタ部５２からの脱落片、あるいはＰＭ捕集フィルタ部５２より上流側から排気ガスと共に移動してくる異物が生じたときにその異物を捕捉し、そのような異物がターボ過給機１５の吸入空気コンプレッサ１５ａに入ってダメージを与えたりすることを防止するようになっている。
【００４３】
図２に示すように、異物捕集フィルタ８０は、ＬＰＬ−ＥＧＲパイプ７１の上流端部７１ｕの近傍で、ＤＰＦユニット４５のＰＭ捕集フィルタ部５２より下流側の筒状ケース部５１の内壁面５１ａから排気ガス通路４２ｗの一部である排気ガス分配室５３内に突出している。
【００４４】
また、図３に示すように、ＬＰＬ−ＥＧＲパイプ７１の上流端部７１ｕは、ＤＰＦユニット４５の筒状ケース部５１に形成された開口周辺部５１ｐに保持された環状挿入部７１ｉと、その環状挿入部７１ｉに隣接するとともに筒状ケース部５１に気密的に固着・保持されたフランジ部７１ｆと、を有している。
【００４５】
図４に示すように、異物捕集フィルタ８０は、筒状ケース部５１の開口周辺部５１ｐとＬＰＬ−ＥＧＲパイプ７１のフランジ部７１ｆとの間に挟持された環状外周縁部８１と、筒状ケース部５１の開口周辺部５１ｐとＬＰＬ−ＥＧＲパイプ７１の環状挿入部７１ｉとの間に挟持された短筒状部８２と、短筒状部８２から排気ガス通路４２ｗ内に略円錐状に突出する錐面状フィルタ部８３（突出部、異物捕集面部）と、錐面状フィルタ部８３に支持された略円板状の先端部８４と、を有している。
【００４６】
環状外周縁部８１および短筒状部８２のうち少なくとも一方は、予めＬＰＬ−ＥＧＲパイプ７１の上流端部７１ｕに溶接され、その状態で、ＬＰＬ−ＥＧＲパイプ７１の上流端部７１ｕがＤＰＦユニット４５の筒状ケース部５１に連結されるとき、図２および図３に示すように挟持された状態に保持されるようになっている。
【００４７】
ところで、本実施形態のエンジン１０においては、ＨＰＬ−ＥＧＲ装置１６によって形成される高圧側排気還流通路Ｐ１内の還流排気ガスに対して、ＬＰＬ−ＥＧＲ装置１７によって形成される低圧側排気還流通路Ｐ２内の還流排気ガスの方が低圧・低温となることに加えて、低圧側排気還流通路Ｐ２中のその低圧・低温の還流排気ガスがＬＰＬ−ＥＧＲクーラ７３により冷却されることから、ＬＰＬ−ＥＧＲクーラ７３内で酸性の凝縮水が発生し易くなる。
【００４８】
そこで、ＬＰＬ−ＥＧＲパイプ７１の上流端部７１ｕは、ＬＰＬ−ＥＧＲクーラ７３内で発生する凝縮水を異物捕集フィルタ８０を通してＤＰＦユニット４５のＰＭ捕集フィルタ部５２より下流側の排気ガス通路４２ｗ内に排出するように、ＬＰＬ−ＥＧＲクーラ７３の入口部７３ｅからＰＭ捕集フィルタ部５２より下流側の筒状ケース部５１の内壁面５１ａ側に向かって下降するように、少なくとも鉛直方向の上下に延びている。
【００４９】
より具体的には、図２および図３に示すように、ＬＰＬ−ＥＧＲパイプ７１の上流端部７１ｕは、フランジ部７１ｆの近傍から鉛直方向上方側に向かって湾曲しており、この上流端部７１ｕに連結するＬＰＬ−ＥＧＲパイプ７１の残部は、両端フランジ部や蛇腹状の起伏を持つ他の複数の管状部材７１ｊ、７１ｋ、およびＬＰＬ−ＥＧＲクーラ７３の一部等により構成されている。
【００５０】
一方、異物捕集フィルタ８０は、金属製で網目が細かいため、異物捕集フィルタ８０の表面に表面張力により水膜が張り易い。
【００５１】
そこで、異物捕集フィルタ８０の先端側には、排気ガス通路４２ｗ内で錐面状フィルタ部８３および先端部８４のうち少なくとも一方に隣接するように、略円板状のまたは皿状の吸水材８６が配置されている。
【００５２】
この吸水材８６は、排気ガス通路４２ｗ内で排気ガス中にさらされるように異物捕集フィルタ８０に隣接して設けられており、詳細な支持構造は図示しないが、錐面状フィルタ部８３および先端部８４のうち少なくとも一方によって保持されている。
【００５３】
また、ＬＰＬ−ＥＧＲクーラ７３内で発生する凝縮水がＬＰＬ−ＥＧＲパイプ７１の上流端部７１ｕから異物捕集フィルタ８０を通してＤＰＦユニット４５のＰＭ捕集フィルタ部５２より下流側の排気ガス通路４２ｗ内に排出されるとき、吸水材８６は、異物捕集フィルタ８０を通過せずに錐面状フィルタ部８３および先端部８４に付着して異物捕集フィルタ８０上に残留しようとする凝縮水を、錐面状フィルタ部８３および先端部８４から離脱させるよう排気ガス通路４２ｗ側に吸い出して、吸着・保持する機能を有している。
【００５４】
吸水材８６は、例えば吸水性の素材によって形成されるか、あるいは、非吸水性の素材によって形成されるが吸水性を発揮できる多孔質体として形成されたものである。
【００５５】
勿論、吸水材８６は、異物捕集フィルタ８０の異物捕集面部である錐面状フィルタ部８３に付着した凝縮水が水膜を形成することを抑制するよう、その錐面状フィルタ部８３から凝縮水を離脱させて排気ガス通路４２ｗ内に排出できるものであれば、その配置や材質、形状等が特に限定されるものではないが、耐熱性を有するのが好ましい。さらに、吸水材８６は、酸性の凝縮水に対する中和機能を併有するものであるのが好ましく、複数種類の素材で構成されたものであってもよい。
【００５６】
また、吸水材８６は、異物捕集フィルタ８０とＤＰＦユニット４５のＰＭ捕集フィルタ部５２との間に位置しており、この吸水材８６が、その一面８６ａ側でＤＰＦユニット４５のＰＭ捕集フィルタ部５２に対向し、その他面８６ｂ側で異物捕集フィルタ８０の錐面状フィルタ部８３および先端部８４に隣接する板状体をなしている。
【００５７】
図５に概略断面図で示すように、異物捕集フィルタ８０の先端部８４は、筒状ケース部５１の内壁面から排気ガス通路４２ｗ内に離間する位置で吸水材８６により閉塞された閉塞部となっており、異物捕集フィルタ８０の錐面状フィルタ部８３が、その先端部８４と筒状ケース部５１の内壁面５１ａとの間で略筒状をなす異物捕集面部を構成している。
【００５８】
なお、エンジン１０は、図示しないＥＣＵ（電子制御ユニット）により各種センサ群のセンサ情報に基づいて運転制御されるようになっており、例えばサプライポンプ２１の吐出制御（例えば、その電磁スピル弁の制御）、燃料噴射弁２３による燃料噴射量制御、スロットルバルブ３６の開度制御、ＨＰＬ−ＥＧＲバルブ６２やＬＰＬ−ＥＧＲバルブ７２の開度（ＥＧＲ率）制御、排気絞り弁４３の開度制御の開閉制御等が実行されるようになっている。ここにいう各種センサ群とは、例えば図１に示す公知のエアフローメータ３５、吸気温度センサ３７、吸気管内圧力センサ３８、排気酸素濃度センサ４７、排気温度センサ４８ａ、４８ｂ、排気温度センサ４９、ＤＰＦ前後差圧センサ９１、低圧ＥＧＲ差圧センサ９２等に加え、図示しないアクセル開度センサ、スロットル開度センサ、クランク角センサ、水温センサ、車速センサ等である。また、排気絞り弁４３に代えて、あるいは排気絞り弁４３と併せて、上流側の吸気管部３２ａ内に低圧ＥＧＲ用吸気絞り弁９３を設けることもできる。
【００５９】
次に、作用について説明する。
【００６０】
上述のように構成された本実施形態の内燃機関の排気還流装置においては、エンジン１０の運転中、ＬＰＬ−ＥＧＲクーラ７３の付近では還流排気ガスが冷却されることによって酸性の凝縮水が発生することから、ＬＰＬ−ＥＧＲバルブ７２が閉弁されるかエンジン１０の負荷が低下すると、ＬＰＬ−ＥＧＲパイプ７１内の凝縮水が一気に排気ガス通路４２ｗ側に流れてしまうことが生じ得る。
【００６１】
このとき、ＬＰＬ−ＥＧＲパイプ７１内の凝縮水は異物捕集フィルタ８０側に流下し、その一部が異物捕集フィルタ８０を通過することなく異物捕集フィルタ８０に付着することになる。
【００６２】
しかし、異物捕集フィルタ８０は、ＬＰＬ−ＥＧＲパイプ７１の上流端部７１ｕの近傍で筒状ケース部５１の内壁面５１ａから排気ガス通路４２ｗ内に突出し、異物捕集フィルタ８０の錐面状フィルタ部８３が排気ガス通路４２ｗ内の排気ガスの流れの方向に対して交差することから、錐面状フィルタ部８３が水膜を形成することが有効に抑制される。しかも、異物捕集フィルタ８０および吸水材８６がそれぞれ比較的広い面積で排気ガス通路４２ｗ内を通る高温の排気ガス流中に常時さらされるだけでなく、吸水材８６によって錐面状フィルタ部８３から凝縮水が離脱するよう吸水されることから、異物捕集フィルタ８０に付着した凝縮水は、吸水材８６に吸着されるか高温の排気ガス中で加熱されて迅速に蒸発することになる。さらに、排気ガス通路４２ｗ内の高温の排気ガス中で吸水材８６に吸着された水が排気ガス通路４２ｗ内に効率よく蒸発することになるので、吸水材８６の吸水性能が良好に維持され、錐面状フィルタ部８３が水膜を形成することがより有効に抑制されることになる。
【００６３】
したがって、たとえＬＰＬ−ＥＧＲバルブ７２の開度が小さいためにＬＰＬ−ＥＧＲ装置１７によって形成される低圧側排気還流通路Ｐ２内に還流排気ガスが流れないかその流量が少ないときであっても、異物捕集フィルタ８０の異物捕集面を形成する錐面状フィルタ部８３が水膜を形成し難くなり、ＬＰＬ−ＥＧＲパイプ７１内の通路の閉塞が防止されることで、所要の低圧ＥＧＲ量が確保されることになる。
【００６４】
加えて、異物捕集フィルタ８０は、環状外周縁部８１および短筒状部８２で熱容量の大きい筒状ケース部５１に常時接触しているので、熱容量が大きい筒状ケース部５１から異物捕集フィルタ８０および吸水材８６への十分な伝熱が可能となり、低圧側排気還流通路Ｐ２内に還流排気ガスが流れないときであっても、異物捕集フィルタ８０への筒状ケース部５１側からの良好な伝熱が可能になり、この点からも、異物捕集フィルタ８０が水膜を形成し難くなる。
【００６５】
すなわち、異物捕集フィルタ８０の異物捕集面部と吸水材８６とを排気ガス通路４２ｗ内に配置するだけの簡素な構成により、ＬＰＬ−ＥＧＲパイプ７１内の排気還流通路が凝縮水の付着した異物捕集フィルタ８０によって閉塞されることが確実に防止でき、排気還流装置の構造の複雑化やコスト高が回避できるとともに、凝縮水による主要部品の劣化の防止と排気浄化性能の確保とを両立させることができる低コストの排気還流装置を提供することができる。
【００６６】
また、本実施形態では、ＬＰＬ−ＥＧＲパイプ７１の上流端部７１ｕ側が、ＬＰＬ−ＥＧＲクーラ７３内で発生する凝縮水を異物捕集フィルタ８０を通してＤＰＦユニット４５のＰＭ捕集フィルタ部５２より下流側の排気ガス通路４２ｗ内に排出するように傾斜し下降しているので、ＬＰＬ−ＥＧＲパイプ７１内で排気ガスが冷却されることで生じる酸性の凝縮水が、ＬＰＬ−ＥＧＲクーラ７３の入口部７３ｅからＤＰＦユニット４５のＰＭ捕集フィルタ部５２より下流側に流下し易くなるとともに吸気通路３２ｗ側に流入し難くなる。したがって、吸気系の金属部品（バルブ類や吸入空気コンプレッサ１５ａの部品等）が腐食し難くなる。
【００６７】
さらに、吸水材８６が、異物捕集フィルタ８０とＤＰＦユニット４５のＰＭ捕集フィルタ部５２との間に位置しているので、ＰＭ捕集フィルタ部５２に指向する凝縮水やその飛沫の流れが吸水材８６によって遮断されることになり、ＬＰＬ−ＥＧＲパイプ７１内の凝縮水が異物捕集フィルタ８０側に流下したときに、異物捕集フィルタ８０を通過した凝縮水がＰＭ捕集フィルタ部５２に接触することが確実に抑制される。したがって、ＰＭ捕集フィルタ部５２が急激な熱変化によって亀裂を生じたり早期に劣化したりすることが確実に防止できる。なお、ＰＭ捕集フィルタ部５２を通過した後の排気ガスが吸気側に還流することから、吸気系主要部品に粒子状物質等が堆積することも確実に防止できることになる。
【００６８】
加えて、本実施形態では、異物捕集フィルタ８０が、ＤＰＦユニット４５の筒状ケース部５１の内壁面５１ａから排気ガス通路４２ｗ内に離間する位置で吸水材８６により閉塞された先端部８４と、その先端部８４と筒状ケース部５１の内壁面５１ａとの間で略筒状をなす錐面状フィルタ部８３とを有するので、異物捕集フィルタ８０がＬＰＬ−ＥＧＲパイプ７１内に流入する還流排気ガスを広いガス通過面積で通過させることになり、しかも、異物捕集フィルタ８０の異物捕集面積が十分に確保できることになる。
【００６９】
また、吸水材８６は、比較的面積の広いその一面側８６ａでは排気ガス通路４２ｗ内を通る高温の排気ガスに十分にさらされて水を蒸発させ、その他面８６ｂ側では異物捕集フィルタ８０の錐面状フィルタ部８３および先端部８４に付着した凝縮水を効率よく吸水できるので、吸水材８６を簡素にしながらも、錐面状フィルタ部８３における水膜の形成を確実に防止できることになる。
【００７０】
このように、本実施形態においては、ＬＰＬ−ＥＧＲパイプ７１内の凝縮水が異物捕集フィルタ８０側に流下し、その一部が異物捕集フィルタ８０を通過することなく異物捕集フィルタ８０に付着したとしても、その凝縮水が排気ガス通路４２ｗ内の吸水材８６に吸着されるか高温の排気ガス中で加熱されて迅速に蒸発するようにしているので、異物捕集フィルタ８０に水膜が形成されることを有効に抑制することができ、しかも、吸水材８６を排気管４２内の高温の排気ガスに常時さらすことで、吸水材８６からの凝縮水の蒸発を促進させ、吸水材８６の吸水性能が良好に維持されるようにしているので、ＬＰＬ−ＥＧＲパイプ７１内の排気還流通路Ｐ２が凝縮水の付着した異物捕集フィルタ８０によって閉塞されることを確実に防止するとともに、排気還流装置の構造の複雑化やコスト高を回避することができる。その結果、凝縮水による主要部品の劣化の防止と排気浄化性能の確保とを両立させることができる低コストの内燃機関の排気還流装置を提供することができるものである。
【００７１】
なお、上述の一実施形態においては、略円板状の吸水材８６が異物捕集フィルタ８０の錐面状フィルタ部８３の中心軸線に対し略直交する板状をなしていたが、図６（ａ）に例示するように、略円板状の吸水材８６が異物捕集フィルタ８０の錐面状フィルタ部８３の中心軸線に対し略直交する位置から外れるよう傾斜していてもよい。また、異物捕集フィルタ８０が上流側からの排気ガスの流れに対し交差する角度および範囲を上述の一実施形態とは異なるように吸水材８６の形状等を変化させることができ、異物捕集フィルタ８０における水膜形成の抑制作用を強めたり、ＬＰＬ−ＥＧＲパイプ７１への排気ガスの流入を容易化したりすることもできる。さらに、図６（ｂ）に示すように、吸水材８６が異物捕集フィルタ８０の形状に応じて平坦でなく湾曲した板状体として構成されてもよいし、複数の面や傾きを有するように分割されてもよい。
【００７２】
さらに、異物捕集フィルタ８０の環状外周縁部８１がＤＰＦユニット４５の筒状ケース部５１とＬＰＬ−ＥＧＲパイプ７１のフランジ部７１ｆとの間に配置されたガスケットとしても機能するようにしてもよい。
【００７３】
異物捕集フィルタ８０の排気ガス通路４２ｗ内への突出形状が略円錐形状、半球面状、略円錐台形状等に限定されるものでないことはいうまでない。
【００７４】
以上説明したように、本発明に係る内燃機関の排気還流装置は、排気還流管内の凝縮水が異物捕集フィルタ側に流下し、その一部が異物捕集フィルタを通過することなく異物捕集フィルタに付着したとしても、その凝縮水が排気ガス通路内の吸水材に吸着されるか高温の排気ガス中で加熱されて迅速に蒸発するようにしているので、異物捕集フィルタに水膜が形成されることを有効に抑制することができ、しかも、吸水材を排気管内の高温の排気ガスに常時さらすことで、吸水材からの凝縮水の蒸発を促進させ、吸水材の吸水性能が良好に維持されるようにしているので、排気還流管内の通路が凝縮水の付着した異物捕集フィルタによって閉塞されることを確実に防止するとともに、装置の構造の複雑化やコスト高を回避することができ、その結果、凝縮水による主要部品の劣化の防止と排気浄化性能の確保とを両立させることができる低コストの内燃機関の排気還流装置を提供することができるという効果を奏するものであり、排気再循環経路中に異物捕集フィルタを設けた内燃機関の排気還流装置全般に有用である。
【符号の説明】
【００７５】
１０  エンジン（ディーゼルエンジン、内燃機関）
１５  ターボ過給機
１５ａ  吸入空気コンプレッサ
１５ｂ  排気タービン
１６  ＨＰＬ−ＥＧＲ装置（高圧側の排気還流装置）
１７  ＬＰＬ−ＥＧＲ装置（低圧側の排気還流装置）
３２  吸気管
３２ｗ  吸気通路
４２  排気管
４２ｗ  排気ガス通路
４３  排気絞り弁
４４  酸化触媒コンバータ
４５  ＤＰＦユニット（排気浄化ユニット）
５１  筒状ケース部
５１ａ  内壁面（傾斜内壁面）
５１ｂ  筒状壁面（排気浄化フィルタ部の周囲の壁面）
５１ｐ  開口周辺部
５２  ＰＭ捕集フィルタ部（排気浄化ユニットの一部、排気浄化フィルタ部）
７１  ＬＰＬ−ＥＧＲパイプ（排気還流管）
７１ｆ  フランジ部
７１ｉ  環状挿入部
７１ｕ  上流端部
７２  ＬＰＬ−ＥＧＲバルブ
７３  ＬＰＬ−ＥＧＲクーラ（排気冷却器）
７３ａ  ケース部
７３ｂ  冷却水管部
７３ｅ  入口部
８０  異物捕集フィルタ
８１  環状外周縁部（環状基端部）
８２  短筒状部（環状基端部）
８３  錐面状フィルタ部（異物捕集面部）
８４  先端部（突出部）
８６  吸水材
Ｐ１  高圧側排気還流通路
Ｐ２  低圧側排気還流通路
【図１】
2012202265.tif 000003
【図２】
2012202265.tif 000004
【図３】
2012202265.tif 000005
【図４】
2012202265.tif 000006
【図５】
2012202265.tif 000007
【図６】
2012202265.tif 000008